(57)【要約】この発明は保全性および可搬性を有する装置であり、玄関ドアの外側またはメール配送業者が近づける場所に、限られた時間だけ配置することが可能な小荷物袋タイプの受け取り装置である。この装置は、玄関ドアの既存のドアノブ、または玄関ドアの、またはその近くの既存のドアハンドルに保全状態で連結でき、メール配送業者が荷物を配送し、小荷物袋をロックし、もって、居住者または許可された受領者のみが、帰宅時に、当該小荷物を取り出せるようにする。小荷物袋中の当該ロック機構は、一方向であり、もって、一旦、ロックされると、荷物配送業者でさえ荷物を散りだせなくなる。保全性貯蔵システムは、玄関ドアの、またはその近くの保有構造物に損傷を与えたり、どのような永続的な変更も必要としない。これは可搬性があり、旅行中に所持することができる。【選択図】図２３
2017521103.tif 000002
【特許請求の範囲】
【請求項１】
住居または任意の滞在場所で小荷物を安全に受け取り、または交換するためのシステムであって、
（ａ）既存のドアノブまたはドアハンドルに第１のタンパープルーフケーブルを利用して連結される連結具であって、タンパープルーフのハウジング内に包囲される、上記連結具と、
（ｂ）上記ハウジングに第２のタンパープルーフケーブルによって結合される小荷物袋と、
（ｃ）上記ハウジング内に位置決めされて、上記小荷物袋に結合されて動作する一方向ロック機構であって、上記第２のタンパープルーフケーブルに作用する、上記一方向ロック機構とを有し、
（ｄ）上記荷物が配送され、上記小荷物袋がロック解除機構によってのみ開とすることが可能なように上記一方向性ロック機構が駆動されることを特徴とする、上記システム。
【請求項２】
上記システムは可搬性であり、取り付け、取り外しが花王であり、動作のためにいずれのフレームまたは実装ブラケット組立体を必要としない請求項１記載の上記システム。
【請求項３】
上記小荷物袋の内容物を取り出すための、許可されていないどのような破壊および力任せの侵入または動作も阻止するために音響を生じる可聴侵入警報器をさらに含む請求項１記載の上記システム。
【請求項４】
上記ロック解除機構は、許可された個人をよび開操作を識別するための電子システムを含む請求項１記載の上記システム。
【請求項５】
上記電子システムは許可された個人をよび開操作を識別するためのＲＦＩＤを含む請求項４記載の上記システム。
【請求項６】
上記ロック解除機構はワイヤレス受信部を含む請求項４記載の上記システム。
【請求項７】
小荷物を安全に受領するための方法であって、
（ａ）予め存在する、ドアハンドル、または円形ドアノブ、または直線状ドアノブを含む日円形ドアノブに安全に連結された可搬性の、取り外し可能なドアノブ・ロック組立体を準備するステップと、
（ｂ）ドアノブ・ロッキング組立体を準備するステップであって、上記ドアノブ・ロッキング組立体は、上記ドアノブ・ロッキング組立地が一旦ドアノブに取り付けられたら上記ドアノブ・ロック組立体を上記ドアノブから取り外すことができないように上記ドアノブ組立体を安全にロックするためのものである、上記ステップと、
（ｃ）タンパープルーフ小荷物袋を準備するステップと、
（ｄ）上記小荷物袋を上記ドアノブ・ロック組立体に結合するために使用できるタンパープルーフおよび切断レジスト性のケーブル機構またはセットアップを準備するステップと、
（ｅ）上記小荷物袋の内部にロック機構を準備するステップであって、上記袋の内部に小荷物を配置し上記小荷物袋をロックすることが可能であるけれども、そののち、未許可の個人のいずれも上記小荷物袋を開くことができない、上記ステップとを有することを特徴とする、上記方法。
【請求項８】
上記可搬性の、取り外し可能なドアノブ・ロック組立体はドアノブまたはドアハンドルに連結可能であり、許可された個人のみによってそこから連結解除できる請求項７記載の上記方法。
【請求項９】
ケーブルが、当該ケーブルをドアノブの周りに掛け、またはドアノブに連結し、当該ケーブルの動きや緩みを除去し、または、防止し、または最小化し、もって、上記ドアノブ・ロック組立体が上記ドアノブに安全かつきつく連結されて、上記ドアノブ・ロック組立体が上記ドアノブから取り外されるのを確実にし、また阻止する態様で、上記ドアノブ・ロック組立体と一体化される請求項８記載の上記方法。
【請求項１０】
可変長さ、寸法、形状、および可変幾何構造および強度のつまみ部が、上記ケーブルが露出される危険性を除去、または最小化、または減少させて上記ケーベルの破壊または切断を阻止または減少させるように、設計可能であり、上記ドアノブ組立体と一体化可能である請求項９記載の上記方法。
【請求項１１】
安全に配送物を受け取る装置において、  ケーブルスリーブに埋め込まれた安全性（ｓｅｃｕｒｅｄ）ケーブルであって、タンパープルーフ材料から製造されて、第１の端部において、ドアノブまたはドアハンドルの周りに取り外しできないように適合するように構成される、上記安全性ケーブルを有し、
上記安全性ケーブルはドアセキュリティ筐体に結合され防護され、上記ドアセキュリティ筐体は第１のロックを含み、
上記セキュリティ筐体は第２の端部で安全性ケーブルを介して第２の端部で安全性配送カプセルに連結され、上記保全性配送カプセルはセキュリティ装置によってのみ開けることができるように構成され、
上記セキュリティ装置は、配送事象により起動されたのちに、動作可能で、ロックされることを特徴とする上記装置。
【請求項１２】
上記安全性ケーブルは２つの部品を有し、ロックの補完部品が上記２つの部品に固着される請求項１１記載の安全に配送物を受け取る装置。
【請求項１３】
上記補完部品はＲＦＩＤを含む請求項１１記載の安全に配送物を受け取る装置。
【請求項１４】
上記配送カプセルは頑丈な材料から製造されたタンパープルーフ袋である請求項１１記載の安全に配送物を受け取る装置。
【請求項１５】
上記ドアセキュリティ筐体は、上記ドアセキュリティ筐体が上記ドアノブまたはハンドルから解放することを可能にするロックギア・解放機構を含む請求項１１記載の安全に配送物を受け取る装置。
【請求項１６】
上記第２のセキュリティ装置はＲＦＩＤを含む請求項１５記載の安全に配送物を受け取る装置。
【請求項１７】
上記第２のセキュリティ装置はロックである請求項１５記載の安全に配送物を受け取る装置。
【請求項１８】
上記ドアセキュリティ筐体はドアノブまたはドアハンドル破壊防護部を含む請求項１５記載の安全に配送物を受け取る装置。
【請求項１９】
さらに、検出部および警報部を含み、上記検出部は上記警報部に動作可能に連結され、上記安全性ケーブルまたは安全性筐体が破損されるときに警報部が起動されるようになす請求項１５記載の安全に配送物を受け取る装置。
【請求項２０】
上記警報部は上記起動時に受け取り装置に通知する請求項１９記載の安全に配送物を受け取る装置。
【請求項２１】
上記セキュリティ装置は、上記配送カプセル内に配送物が置かれることによって、自動的に起動される請求項１１記載の安全に配送物を受け取る装置。
【請求項２２】
上記セキュリティ筐体に取り付けられるメッセージポーチをさらに含む請求項１１記載の安全に配送物を受け取る装置。
【請求項２３】
配送物を保全する装置であって、
（ａ）少なくとも２個またはそれ以上の受け取りポートを含む配送物受け取り部であって、上記受け取りポートの各々のための個別の保全性カバーを含み、上記個別の保全カバーの各々が、物品が上記受け取りポートに配置されると起動される、上記配送物受け取り部とを有し、
（ｂ）上記個別の保全性カバーはロック解除機構によってロック解除され、
（ｃ）上記配送物受け取り部はドア保全性装置に第１の保全性ケーブルを介して連結され、
（ｄ）上記ドア保全性装置は交代可能な第２の保全性ケーブルを含み、上記第２の保全性ケーブルは上記ドア保全性装置をドアに永続的に構造を用いることなく取り付けることを特徴とする上記装置。
【請求項２４】
上記ロック解除機構はワイヤレスで起動される請求項２２記載の配送物を保全する装置。
【請求項２５】
上記配送物受け取り部に取り付けられるメッセージポーチをさらに含む請求項２３記載の配送物を保全する装置。
【発明の詳細な説明】
【関連出願の参照】
【０００１】
この出願は、ＵＳＰＴＯに２０１４年４月１７日に提出された米国仮特許出願第６１／９８０，６４４号の合衆国法典第３５編第１１９条（ｅ）の優先権を主張し、すべての目的に関して、参照してここに組み入れる。
【背景技術】
【０００２】
インターネットの時代において、世界中の多くの消費者がますます米国のＡｍａｚｏｎ．ｃｏｍのような会社に、世界の他の地域の多くの他のオンライン小売店舗に依拠して、買い物を行い、外出時に小荷物を受領している。小荷物が高価なとき、受領者が外出であると、配送業者担当者は、しばしば、配送業者の近所の受け取り場所から後の時点で小荷物を受け取る旨を記したメモを残すか、後の時点で再配送を試みるかを選択する。これらオプションは双方とも膨大な遅延時間と不便さをもたらし、顕著に時間効率良い態様でオンラインで買い物をするというもともとの目的を、注文者の自宅またはオフィスにおける満足という点で、台無しにする。受領者が仕事で外出し、または、一時的または永続的な滞在地あるいはビジネス拠点から外出しているときに配送物を受領するという問題を解決する過去の試みは満足のいくものではなかった。
【０００３】
さらに、多くの豪華な共同住宅、ホテル、および他の宿泊施設では、居住者が、ＵＰＳ、ＦｅｄＥｘ、ＤＨＬ、ｏｎ  Ｔｒａｃ、その他の郵便配送業者が配送する小荷物を防護的に受け取るのを支援するために、玄関ドアの外側を永続的に変更し、または何らかの造作を行うことが許されていない。実際、多くの豪華な共同住宅では、富裕層居住者にすっきりとした外観をホールにおいて付与し、所有施設においても優美な居住外観を付与することが望まれるので、極めて厳格な規則があり、また居住する上で多くの制約が課されている。居住者は、ほんの数時間でも、玄関先の外部にどのようなものも置くことが許されておらず、施設管理者およびスタッフが、その厳格な規則のいずれかに違反する居住者に対しては、厳しい態度を示し、罰則をかすことさえある。
【０００４】
関連する技術は、ＰｒｏｃｔｏｒおよびＥｖａｎｓが発明した米国特許出願公開第２０１２／０２６９４６１号、「小荷物用のセキュリティレセプタクル」、Ｓｎｏｋｅに発行された米国特許第６３７５０７０号、「郵便配送装置および郵便配送方法ならびにレセプト」、Ｎｅｓｔｉｎｇに発行された米国特許第６５８８６５６号、「配送用コンテナ」を含む。他の関連する技術は、Ｆｅｒｅｎｔｉｏｎｏｓによる、米国特許第８５７３４７３号、「小荷物用セキュリティ増強配送物受領器」、Ｒｙｓｚａｒｄに発行された米国特許第８６６１８６２号、および、Ｇｉｌｅｓに発行された米国特許第８３５８１９５号を含む。
【発明の概要】
【０００５】
玄関先で、小荷物を安全に受け取ることによる要請が大きくなっていることに対処する、先に列挙した、他の発明者による試みは、依然として不十分と考えられ、実際に行う際の制限や制約のすべてに対処するものではない。さらに、それらのいずれも、実際上の問題のすべてに十分に対処するものではなく、以下に述べるこの発明の特徴のすべてを含むものではない。この発明の種々の実施例は、既存のドアノブまたはドアハンドルを利用する。全体の組立体または装置は、新規なドアノブ・ロック組立体を含み、可搬性があり、迅速かつ容易に取り付けまたは取り外しでき、持ち運びできる。ドリル開けしたり、または、永続的または半永続的にブラケットを取り付けたり、または、これを動作可能にして意図した目的を実現するために玄関ドアまたはその周囲に損傷を与え、使用時に時間がかかる組立の必要がない。全組立体は、使用が意図されるその日のほんの数秒の間に安全に実装でき、また取り外すことができる。小荷物袋中の一方向ロック機構は、意図された受領者のみが小荷物に取り出せるように、配送業者担当者が小荷物を配送し、ロックし、防護することを可能にする。オプションの可聴破壊警報器（ｉｎｔｒｕｓｉｏｎ  ａｌａｒｍ）は、無許可または力任せの侵入、または、小荷物袋内の内容物を受け取ろうとする操作を防止する。この発明は、タンパープルーフのケーブル、ロープ、またはチェーンを用いて組立体全体を防護する。種々の実施例は、種々の大きさの柔らかな、または堅固な、または半分柔らかな小荷物袋を使用して、利用者の買い物の要請に応じた最も慣用的な寸法の小荷物を受け取ることができるようにしている。
【０００６】
以下では基本的に種々の実施例の重要な要素をまとめており、それらの動作の詳細は他の適切なセクションで説明される。
【０００７】
［ドアノブまたはドアハンドル］
この発明の種々の実施例は、その目的を実現するためにドアノブおよび／またはドアハンドルを使用することを含む。ドアノブは２種類ある。すなわち、（ａ）円形（図１ａ）、および（ｂ）非円形（図１ｂ）である。ドアハンドルは図１ｃに示すように多くの種類がある。
【０００８】
［保全性］（セキュアー）
機構内のどの要素も未許可の人によって除去されない。
【０００９】
［可搬性］
この方法または機構は、バッグまたはスーツケース内に収めることができ、移動しているときに所持して、どこでもいつでも必要なときに使用することができる。
【００１０】
［非破壊性］（ｎｏｎ−ｉｎｔｒｕｓｉｖｅ）
この方法および機構は、その使用場所においていずれの人の施設にも損傷や変更を加えず、意図された使用がなされる、その日、またはほんの数時間だけ、使用が可能であり、完全に除去可能であり、その他のすべての時点において室内に所持可能である。
【００１１】
［取り外し可能性・仮設性］
種々の実施例は取り外し可能であり、いずれのものに対しても永続的に取り付けられることはまったくない。小荷物が受け取られ目的が成就されると、除去され、室内に所持される。
【００１２】
［小荷物袋］（ｐａｒｃｅｌ  ｂａｇ）
種々の実施例は、小荷物を配送するためにメール配送業者によって使用が可能なタンパープルーフで、柔らかく、または、堅固で、または半分柔らかい袋を使用することを含む。この袋は、メール配送業者が小荷物をそこに納入し、受領者がのちに取り出すことに備えてロックするために、玄関ドアの外に保持することができる。
【００１３】
［一方向ロック機構］
この方法、機構、および装置において、ロック機構が潜在的に使用できる場所は、２か所ある。第１に、ケーブル、またはロープ、またはチェーン機構を防護し、きつく締めてドアノブ・ロック機構がドアノブまたはドアハンドルから外れないようにするためにドアノブまたはドアハンドルの近くである。第２に、小荷物袋内に小荷物を配したのちに小荷物袋を防護し、メール配送担当者が配送時に立ち去るのに先立ってロックできるようにするロックである。一方向性であることによって、配送担当者が荷物または小荷物を袋内に配置でき、それでいて小荷物袋をロックしたときに取り外すことができないことがわかる。だれも、メール配送業者ですら、小荷物袋をロックしたときに荷物にアクセスできない。受領者のみが、小荷物にアクセスでき取り出すことができる。ロック機構およびロック解除機構は、（ａ）組み合わせロックまたは慣用的なロックを含む慣用的な物理タイプであり、または、オプションで、他の実施例を具備して良く、（ｂ）ＲＦＩＤ、（ｃ）Ｂｌｕｅｔｏｏｔｈ、（ｄ）モバイルホン、または（ｅ）Ｗｉ−Ｆｉのような先端技術を利用して良い。
【００１４】
［破壊および可聴警報］
種々の実施例は、ケーブル、またはロープ、またはチェーンが力任せに引っ張られるならば、または、小荷物袋またはロックが故意に開けられたり、壊されたりするならば、オプションで、破壊警報システムを実装する。音響警報は、バッテリを消尽することなく、同時に、未許可の個人が破壊またはタンパーを継続するのをやめるだけの予め設定された時間だけ鳴り続ける。このオプション部分は、所定の場所や用途において付加的なセキュリティが必要な場合の実施例である。付加的な実施例は、音響の音量レベルおよび警報の継続時間が調整可能である。
【図面の簡単な説明】
【００１５】
【図１ａ】円形ドアノブの例を示す図である。
【図１ｂ】直線状ドアノブの例を示す図である。
【図１ｃ】ドアハンドルの例を示す図である。
【図２ａ】円形ドアノブの上で動作する防護装置、および関連する部品のすべてを高水準に示す図である。
【図２ｂ】図２ａの詳細部分Ａの拡大版を示す図である。
【図２ｃ】図２ｂの拡大版であり、とくにケーブル／ロープ／チェーンが円形ドアノブの首部にどのようにかけられるかを示す図である。
【図３】直線状ドアノブの上で動作する実施例、および、図の詳細の拡大版を高水準に示す図である。
【図４】ドアハンドルの上で動作する種々の実施例および関連部品のすべて、ならびに、図の詳細の拡大版を高水準に示す図である。
【図５ａ】ケーブル／ロープ／チェーンおよびロック／キーを使用してドアノブにしっかりと締め付けるのに使用できる単純なドアノブ・ロック機構を示す図である。
【図５ｂ】視覚化および理解をより容易にするための図５ａの異なる斜視図である。
【図５ｃ】視覚化および理解をより容易にするための図５ａの異なる斜視図である。
【図５ｄ】図５ａの分解図である。
【図６ａ】ケーブル／ロープ／チェーンがつまみ部の端部でどのように引かれて伸ばされるかを示す図である。
【図６ｂ】ケーブル／ロープ／チェーンがつまみ部の端部でどのように引かれて伸ばされるかを示す図であり、ケーブル直径が図６ａの当初の直径から増大することを示す図である。
【図６ｃ】ケーブル／ロープ／チェーンがつまみ部の端部でどのように引かれて伸ばされるかを示す図であり、ケーブルがドアノブの周りにあるために必要な直径となるように伸ばされている、当該ケーブルを示す図である。
【図６ｄ】ケーブル／ロープ／チェーンがつまみ部の端部でどのように引かれて伸ばされるかを示す図であり、図６ｃの状態から減少して縮むケーブル直径を示す図である。
【図６ｅ】ケーブル／ロープ／チェーンがつまみ部の端部でどのように引かれて伸ばされるかを示す図であり、図６ｃの状態から減少して縮むケーブル直径を示す図である。
【図７ａ】図６ａ〜図６ｅの続きを示す図である。
【図７ｂ】図６ａ〜図６ｅの続きを示す図である。
【図７ｃ】図６ａ〜図６ｅの続きを示す図である。
【図８ａ】２つの付加的な圧縮ばねがある代替的に実施例を示す図である。
【図８ｂ】２つの付加的な圧縮ばねがある代替的に実施例を示す図である。
【図８ｃ】２つの付加的な圧縮ばねがある代替的に実施例を示す図である。
【図９ａ】反転ｔ形状スライドブロックが円形ギア機構に置換された第３の実施例のデザインおよび利用を示す図である。
【図９ｂ】反転Ｔ形状スライドブロックが円形ギア機構に置換された第３の実施例のデザインおよび利用を示す図である。
【図９ｃ】反転Ｔ形状スライドブロックが円形ギア機構に置換された第３の実施例のデザインおよび利用を示す図である。
【図９ｄ】反転Ｔ形状スライドブロックが円形ギア機構に置換された第３の実施例のデザインおよび利用を示す図である。
【図９ｅ】反転Ｔ形状スライドブロックが円形ギア機構に置換された第３の実施例のデザインおよび利用を示す図である。
【図１０ａ】螺旋バネが、ケーブル／ロープ／チェーンを内包する環状空間内に非同心的に配置され、横方向に伸び出て、その円形筒の外側で側方向に位置付けられる第４の実施例のデザインおよび使用を示す図である。
【図１０ｂ】螺旋バネが、ケーブル／ロープ／チェーンを内包する環状空間内に非同心的に配置され、横方向に伸び出て、その円形筒の外側で側方向に位置付けられる第４の実施例のデザインおよび使用を示す図である。
【図１０ｃ】螺旋バネが、ケーブル／ロープ／チェーンを内包する環状空間内に非同心的に配置され、横方向に伸び出て、その円形筒の外側で側方向に位置付けられる第４の実施例のデザインおよび使用を示す図である。
【図１０ｄ】螺旋バネが、ケーブル／ロープ／チェーンを内包する環状空間内に非同心的に配置され、横方向に伸び出て、その円形筒の外側で側方向に位置付けられる第４の実施例のデザインおよび使用を示す図である。
【図１０ｅ】螺旋バネが、ケーブル／ロープ／チェーンを内包する環状空間内に非同心的に配置され、横方向に伸び出て、その円形筒の外側で側方向に位置付けられる第４の実施例のデザインおよび使用を示す図である。
【図１０ｆ】螺旋バネが、ケーブル／ロープ／チェーンを内包する環状空間内に非同心的に配置され、横方向に伸び出て、その円形筒の外側で側方向に位置付けられる第４の実施例のデザインおよび使用を示す図である。
【図１０ｇ】螺旋バネが、ケーブル／ロープ／チェーンを内包する環状空間内に非同心的に配置され、横方向に伸び出て、その円形筒の外側で側方向に位置付けられる第４の実施例のデザインおよび使用を示す図である。
【図１１ａ】サンプルの小荷物袋を開状態および閉状態でそれぞれ示す図である。
【図１１ｂ】サンプルの小荷物袋を開状態および閉状態でそれぞれ示す図である。
【図１２ａ】Ｙ形状ケーブルが、とくにドアハンドルに関連する用途に使用されるリベット付けされたロックと一体である小荷物袋を示す図である。
【図１２ｂ】Ｙ形状ケーブルが、とくにドアハンドルに関連する用途に使用されるリベット付けされたロックと一体である小荷物袋を示す図である。
【図１２ｃ】Ｙ形状ケーブルがドアハンドルの周りに掛けられて小荷物袋とドアハンドルに取り付ける場合の、図１２ｂの詳細部Ａの分解図を示す図である。
【図１３】伝統的なロック１２０のかわりにＲＦＩＤ（無線周波数識別素子）を利用してどのようにドアノブの周りのケーブル／ロープ／チェーン１０８ｂの移動を阻み、また開放するかを示す図である。
【図１４】ＲＦＩＤは有しないけれども、それに代わってロック１２０の機構を置き換える任意のその他のタイプの技術的な解決手段を有することができる実施例を示す図である。
【図１５ａ】反転Ｔ形状スライドブロックが、２つの往復可能な溝に沿って移動する、単純かつ強度な薄板に置き換えられる、ドアノブ・ロック組立体の第５の実施例を示す図である。
【図１５ｂ】反転Ｔ形状スライドブロックが、２つの往復可能な溝に沿って移動する、単純かつ強度な薄板に置き換えられる、ドアノブ・ロック組立体の第５の実施例を示す図である。
【図１５ｃ】反転Ｔ形状スライドブロックが、２つの往復可能な溝に沿って移動する、単純かつ強度な薄板に置き換えられる、ドアノブ・ロック組立体の第５の実施例を示す図である。
【図１５ｄ】反転Ｔ形状スライドブロックが、２つの往復可能な溝に沿って移動する、単純かつ強度な薄板に置き換えられる、ドアノブ・ロック組立体の第５の実施例を示す図である。
【図１５ｅ】反転Ｔ形状スライドブロックが、２つの往復可能な溝に沿って移動する、単純かつ強度な薄板に置き換えられる、ドアノブ・ロック組立体の第５の実施例を示す図である。
【図１６】ケーブル付きのつまみ部１０７を近づけて示す図である。
【図１７】つまみ部の端部に余分な突起がなくい他のデザインを示す図である。
【図１８ａ】小さな矩形の突起がつまみ部の端部にある他のデザインを示す図である。
【図１８ｂ】小さな矩形の突起がつまみ部の端部にある他のデザインを示す図である。
【図１９ａ】放物線状および／または楕円状の突起がつまみ部の端部にある他のデザインを示す図である。
【図１９ｂ】放物線状および／または楕円状の突起がつまみ部の端部にある他のデザインを示す図である。
【図２０】つまみ部の端部がその中心でピボット状であり、ドアノブの首部の周りに締まったループを形成する他のデザインを示す図である。
【図２１ａ】ドアノブ・ロック組立体がドアノブから垂直に下方に吊り下がるようにつまみ部が屈曲される他のデザインを示す図である。
【図２１ｂ】図２１ａの他の図であり、Ａ形状のつまみ部のデザインを示す図である。
【図２１ｃ】図２１ａの他の図であり、Ａ形状のつまみ部のデザインを示す図である。
【図２１ｄ】図２１ａの他の図であり、Ａ形状のつまみ部のデザインを示す図である。
【図２２ａ】つまみ部の端部がＶ形状として示されるつまみ部のデザイン示す図である。
【図２２ｂ】つまみ部の端部がＶ形状として示されるつまみ部のデザイン示す図である。
【図２２ｃ】つまみ部の端部がＶ形状として示されるつまみ部のデザイン示す図である。
【図２２ｄ】つまみ部の端部がＶ形状として示されるつまみ部のデザイン示す図である。
【図２２ｅ】つまみ部の端部がＶ形状として示されるつまみ部のデザイン示す図である。
【図２２ｆ】Ａ形状のつまみ部の端部におけるチェーンの使用を絵で示す図である。
【図２２ｇ】Ａ形状のつまみ部の端部におけるチェーンの使用を絵で示す図である。
【図２２ｈ】Ａ形状のつまみ部の端部におけるチェーンの使用を絵で示す図である。
【図２２ｉ】Ａ形状のつまみ部の端部におけるチェーンの使用を絵で示す図である。
【図２２ｊ】Ａ形状のつまみ部の端部におけるチェーンの使用を絵で示す図である。
【図２３】小荷物袋およびドアノブ・ロック組立体を相互結合するケーブル／ロープ／チェーン１０２が２つの部分に分割されて、取り外し用のロックおよびキー機構がその中央にあることを示す図である。
【図２４ａ】ケーブル取り外し部およびロックおよびキー機構の拡大図を示す図である。
【図２４ｂ】ケーブル取り外し部およびロックおよびキー機構の拡大図を示す図である。
【図２５ａ】ケーブル／ロープ／チェーンがタンパーレジスト強固な凸状円形ビーズ内に覆われているオプションの実施例を示す図である。
【図２５ｂ】ケーブル／ロープ／チェーンがタンパーレジスト強固な凸状円形ビーズ内に覆われているオプションの実施例を示す図である。
【図２６ａ】ケーブル／ロープ／チェーンの周りに凹形状ビーズを具備する付加的な実施例を示す図である。
【図２６ｂ】ケーブル／ロープ／チェーンの周りに凹形状ビーズを具備する付加的な実施例を示す図である。
【図２７ａ】ドアノブ・ロック組立体が、玄関ドアの外側に面するドアノブから垂直に可能に吊り下げられている、ドアノブ・ロック組立体の他の実施例を示す図である。
【図２７ｂ】ドアノブ・ロック組立体が、玄関ドアの外側に面するドアノブから垂直に可能に吊り下げられている、ドアノブ・ロック組立体の他の実施例を示す図である。
【図２７ｃ】ドアノブ・ロック組立体が、玄関ドアの外側に面するドアノブから垂直に可能に吊り下げられている、ドアノブ・ロック組立体の他の実施例を示す図である。
【図２７ｄ】ドアノブ・ロック組立体が、玄関ドアの外側に面するドアノブから垂直に可能に吊り下げられている、ドアノブ・ロック組立体の他の実施例を示す図である。
【図２８ａ】多くのドアオブ・ロック組立体、およびその基本的な要素および部品の種々の内部詳細および拡大図を示す図である。
【図２８ｂ】多くのドアオブ・ロック組立体、およびその基本的な要素および部品の種々の内部詳細および拡大図を示す図である。
【図２８ｃ】多くのドアオブ・ロック組立体、およびその基本的な要素および部品の種々の内部詳細および拡大図を示す図である。
【図２８ｄ】多くのドアオブ・ロック組立体、およびその基本的な要素および部品の種々の内部詳細および拡大図を示す図である。
【図２８ｅ】多くのドアオブ・ロック組立体、およびその基本的な要素および部品の種々の内部詳細および拡大図を示す図である。
【図２８ｆ】多くのドアオブ・ロック組立体、およびその基本的な要素および部品の種々の内部詳細および拡大図を示す図である。
【図２８ｇ】多くのドアオブ・ロック組立体、およびその基本的な要素および部品の種々の内部詳細および拡大図を示す図である。
【図２８ｈ】多くのドアオブ・ロック組立体、およびその基本的な要素および部品の種々の内部詳細および拡大図を示す図である。
【図２８ｉ】多くのドアオブ・ロック組立体、およびその基本的な要素および部品の種々の内部詳細および拡大図を示す図である。
【図２９ａ】多容器の実施例がどのように多数の配送物を多数の配送業者から受け取るかを示す図である。
【図２９ｂ】多容器の実施例がどのように多数の配送物を多数の配送業者から受け取るかを示す図である。
【図２９ｃ】多容器の実施例がどのように多数の配送物を多数の配送業者から受け取るかを示す図である。
【図面の詳細な説明】
【００１６】
図１ａ〜図１ｃは、種々のタイプのドアノブおよびハンドルを示す。種々の実施例は、これらドアハンドルのいずれにも実装でき、小荷物を安全に受け取るのに使用できる。これら円形ドアノブは種々の実施例の利用の説明に使用するためにここに示される。図１ｂは直線状形状のドアノブの例を示す。種々の実施例は、これら直線形状ドアノブのいずれにも実装でき、小荷物を安全に受け取るのに使用できる。これらは種々の実施例の利用の説明に使用するためにここに示される。図１は、種々のドアハンドルの例を示す。種々の実施例は、これらドアハンドルのいずれにも実装でき、小荷物を安全に受け取るのに使用できる。
【００１７】
図２ａは、種々の実施例が円形ドアノブと関連してどのように動作するかを高水準に示し、また、関連する部品のすべてを示す。図２ａの２つの部分は拡大され、詳細部Ａおよび詳細部Ｂとしてより明瞭に示される。図２ｂは図２ａの詳細部Ａの拡大版を示す。
【００１８】
図２ｃは、図２ｂの拡大版を示し、とくに、ケーブル／ロープ／チェーン（１０８ａおよび１０８ｂ）が、どのように円形ドアノブの首部の周りにかけられるかを、説明目的でのみ、示す。この図において、ケーブル１０８ａ、１０８ｂは、説明目的でのみ、円形ドアノブの首部に緩く表れている。ケーブルは、これが取り外される余裕がないように首部にきつく掛けられていることに留意されたい
【００１９】
この発明の目的において、用語「ケーブル」は、金属または非金属で製造され、意図された用途に適合した十分な強度、柔軟性、および特徴を有する柔軟部材を指し示すのに使用される。ここで使用されるように、「ケーブル」は、任意の適切な材料のロープまたはチェーンまたはケーブルを指す。
【００２０】
図３は、直線状ドアノブに関連して動作する種々の実施例を高水準に示し、また、関連部品を示す。図３の２つの部分は拡大されて詳細部Ａおよび詳細部Ｂとしてより明瞭にするために示されている。
【００２１】
図４は全体機構がドアハンドルに関連してどのように動作するかを高水準に示し、また、関連部品のすべてを示す。図４の２つの部分は拡大されて詳細部Ａおよび詳細部Ｂとしてより明瞭にするために示されている。
【００２２】
図５ａは、ケーブル／ロープ／チェーン（１０８ａ、１０８ｂ）およびロック／キー（１２０）を利用してドアノブに安全に締め付けることができる単純なドアノブ・ロック組立体の実施例を示す。この装置は、１個の伸長可能バネ１２４を利用し、ケーブル１０８ｂを引っ張ってドアノブの首部に掛けるときに、このバネ１２４が伸び、これが解放されたとき、このバネは、反転Ｔ形状スライドブロック（１１９）を押して元の位置へと復帰させてケーブル／ロープ／チェーン１０８ｂがドアノブの首部の周りにきつく保持されるようになす。
【００２３】
また、図に示されるロック／キー１２０の位置が説明の便宜のためのみである点に留意することは極めて重要である。具体的には、ロック／キー１２０はドアに関連して操作しやすいように位置付けられるべきであり、ドアの周りには（ａ）ドアノブが玄関ドアの左側にあるか、または（ｂ）玄関ドアの右側にあるかに応じて極めて限定的な余裕しかなく、このため、ロック／キー１２０の位置は組立体のいずれの面に配されて良い。理想的には、ロック１２０は、組立体の頂部に位置付けられると予想され、これにより、玄関ドアのどのような側部（右または左）に位置付けられたどのような種類のドアノブにおいてもロックを操作する上で便利なようになし、また、これら図面のいくつかに示されるように据え付けられなくても良い。図５ｂおよび図５ｃは、図５ａの異なる斜視図を示してより視覚化および理解を容易にする。図５ｄは図５ａの分解版を示し、その基本的な部品のすべてを、相互に分離させ、より明瞭に区別可能に示すものである。
【００２４】
図６ａ〜６ｅは、ケーブル／ロープ／チェーン（１０８ａ、１０８ｂ）がつまみ部（１０７）の端部でどのように引かれて伸びるかを示す（図６ａ、図６ｂ）。ケーブルがドアノブ周りの所望の直径（図６ｃ）まで伸ばされ（その周りに防護されて破壊されないように）、かつ、ケーブル／ロープ／チェーンがドアノブを越えて十分に伸ばされると、それはゆっくりと解放され、バネ（１２４、１２５）の動作によって、ケーブル直径が減少して縮小して（図６ｄ、図６ｅ）、それ自体をドアノブのまわりにきつく、かつ安全に、締め付ける。
【００２５】
図７ａ、図７ｂ、および図７ｃは、さらに図６ａ〜図６ｅの延長版であり、ドアノブが、どのようにして、ケーブル／ロープ／チェーンのほぼ円形の形状の内部に中心づけられるかを示す。矢印はこれらの図においてケーブル／ロープ／チェーンの種々の段階の動作を説明するために示される。
【００２６】
図８ａ〜図８ｃは、ケーブル／ロープ／チェーン１０８ｂが引っ張られたら、スライドブロック１１９がその元の位置に戻るための移動を容易にするために配置される２つの付加的な圧縮バネが配される実施例を示す。バネ１２５はケーブル１０８ｂが引っ張り出されるときに圧縮され、これによって、ケーブル１０８ｂがドアノブの首部に掛けられ、開放されると、この圧縮されたバネが自動的にスライドブロック１１９に作用してこれをもとの位置へと戻す。
【００２７】
図９ａ〜図９ｅは、第３の実施例のデザインおよび使用を示す。この実施例において、反転Ｔ形状スライドブロック１１９は円形ギア機構に置き換えられる。反転Ｔ形状スライドブロック１１９の制約は、ケーブル１０８ｂが引かれる長さが、スライド組立体の長さによって拘束され制限されるということであり、これは有限な長さしか有しない。しかしながら、この円形ギアは、ケーブル１０８ｂがその結合ケーブル１２３を通じて引き出されるときに、回転する。円形ギア形状によって、ケーブル／ロープ／チェーン１０８ｂはこの実施例において、実質的により多く引き出され、そのため、ケーブルをどれだけ長く引き出してドアノブまたは任意の他の対象のまわりに掛けられるかに関して何ら制約がない。
【００２８】
図９ａ〜図９ｅに示す実施例において、バネ（１２４、１２５）は、円形ギアの内部に同軸的に位置決めされる螺旋バネに置き換えられ、この螺旋バネは、ケーブル１０８ｂを引き戻して確実にケーブル１０８ｂがドアノブの首部の周りにきつく安全に掛かるようにするのを支援する。他の装置は、螺旋バネを、類似な引き戻し（かつ引っ張り）機構を備えることにより置き換えて良く、例えば、螺旋バネは、具体的な実施例のための説明上の意味において考え方を示すために説明される。
【００２９】
図１０ａ〜図１０ｇは、第４の実施例のデザインおよび利用を説明する。第４の実施例において、螺旋バネは、ケーブル／ロープ／チェーン１０８ｂを内包する環状空間１３１内において同軸的ではなく、横方向に伸び出て、その円形シリンダ１３５の外部でその側方に位置付けられる。そのため、この実施例は、図９ａ〜図９ｃで示した第３の実施例より若干大きくなる傾向がある。しかしながら、このデザインは、先のデザインに比べて複雑ではなく入り組んでいず、バネ、またはケーブル等の部品のいずれかに関連する任意の問題が発生し、または使用時にこれを修繕する場合に、壊れたり、不完全であったり、故障した部品を保守したり、取り替えたりするのが、より容易である。
【００３０】
図１１ａおよび図１１ｂは、種々の実施例の小荷物袋機構を開状態および閉状態でそれぞれ示す。図１１ａは、さらに、小荷物袋およびドアノブ組立体１０１の間に連結されるケーブル／ロープ／チェーン１０８ｂを示す。また、図１１ａにおいて、ジッパー１３９が開位置であり、他方図１１ｂにおいて、ジッパー１３９は閉位置であり、小荷物袋ロック１０４内に保全状態で隠されている。
【００３１】
図１２ａおよび図１２ｂは、Ｙ形状ケーブル１１３が、リベット１１５の付されたロック１１４と一体にされ、とくにドアハンドルと関連する用途に使用される、小荷物袋を示す。図１２ｃは、図１２ｂの小相武Ａの分解図お示し、ここで、Ｙ形状ケーブル１１３はドアハンドルの周りに掛けられて小荷物袋をドアハンドルに固着するのに使用される。
【００３２】
図１３は、伝統的なロック１２０のかわりにＲＦＩＤ（無線周波数識別素子）を利用してどのようにドアノブの周りのケーブル／ロープ／チェーン１０８ｂの移動を阻み、また開放するかを示す。図１３は、また、任意のタイプの破壊がドアノブ組立体または相互接続ケーブル／ロープ／チェーンまたは小荷物に関して感知または検出されたならば警報を鳴らすスピーカ１４２を含むオプションの実施例を示す。
【００３３】
図１４は、ＲＦＩＤは有しないけれども、それに代わってロック１２０の機構を置き換える任意のその他のタイプの技術的な解決手段を有することができる実施例を示す。ロック１２０はオプションの機構として示され、これは、ケーブル／ロープ／チェーン１０８ｂの移動を阻止し、または開放する付加的なバックアップ選択子であって良く、また、その動作は、ＲＦＩＤ、モバイルアプリケーション、またはＢｌｕｅｔｏｏｔｈ動作機構、またはＷｉ−Ｆｉ実現手段のような任意の他の適切な技術手段によって完全に置き換えることができる。
【００３４】
図１５ａ〜図１５ｅは、ドアノブ・ロック組立体の第５の実施例を示す。図１５ａ〜図１５ｅに示されるこの実施例において、反転Ｔ形状スライドブロック１１９は、２つの往復可能な溝１４５ａに沿って移動する、単純かつ強度な薄板１４４に置き換えられ、これによって、寸法および消費材料が少なくなり、同一に機能を実現する組立体の全体をより簡素にする。
【００３５】
さらに、ホイール１４５ａ〜１４５ｄを使用する目的は、薄板１４４が容易に滑動するのを支援することであり、これらホイールは、ボールベアリング、または、薄板の滑動溝１４５ａおよび１４５ｂ上の移動を実現可能な程度に少ない摩擦の下で移動させるという目的を低コストに実現する、他の創造的な機構によって置き換えて良い。ホイールを用いることなく薄板の滑動を容易にできれば、ホイールを完全に組立体デザインから除くこともできる。
【００３６】
図１６は、ケーブル付きのつまみ部１０７を近づけて示す。つまみ部の端部はＴ形状である延長部１２７を具備し、これはドアノブの首部の周りにケーブル／ロープ／チェーン１０８ｂの閉じた、締まったループを形成するように設計されている。これらつまみ部の端部のべては、ケーブル／ロープ／チェーンがドアノブのまわりに緩く絡み、ドアノブから取り外されるのを阻止するためのタンパーレジスト性能を改善することを目的としている。
【００３７】
図１７は、つまみ部の端部に余分な突起がなく、所定のタイプおよび寸法のドアノブ用の他のデザインを示し、このデザインは、ドアノブの首部の周りにケーブル／ロープ／チェーン１０８ａおよび１０８ｂの閉じた、締まったループを形成できる。
【００３８】
図１８ａおよび図１８ｂは、小さな矩形の突起がつまみ部の端部にあり、所定のタイプおよび寸法のドアノブに使用される他のデザインを示し、このデザインは、ドアノブの首部の周りにケーブル／ロープ／チェーン１０８ａおよび１０８ｂの閉じた、締まったループを形成できる。この矩形の突起は所定の直線状ドアノブに最適であり、この突起はケーブル／ロープ／チェーンの移動を阻止するのを支援でき、もって、これがドアノブから取り外されるのを阻止し、タンパーレジスト性能を改善するのを支援できる。
【００３９】
図１９ａおよび図１９ｂは、放物線状および／または楕円状の突起がつまみ部の端部にあり、所定のタイプおよび寸法のドアノブに使用される他のデザインを示し、このデザインは、ドアノブの首部の周りにケーブル／ロープ／チェーン１０８ａおよび１０８ｂの閉じた、締まったループを形成できる。この形状の突起は所定の直線状ドアノブに最適であり、この突起はケーブル／ロープ／チェーンの移動を阻止するのを支援でき、もって、これがドアノブから取り外されるのを阻止し、タンパーレジスト性能を改善するのを支援できる。
【００４０】
図２０は、つまみ部の端部のまわりで突起が、つまみ部の端部の中心でピボット状である他のデザインを示し、ここで、突起は柔軟で回動し、所定のタイプおよび寸法のドアノブに使用され、このデザインは、ドアノブの首部の周りにケーブル／ロープ／チェーン１０８ａおよび１０８ｂの閉じた、締まったループを形成できる。
【００４１】
図２１ａは、つまみ部１０７が、図２８ｈに示すようにドアノブ・ロック組立体１０１がドアノブから垂直に下方に吊り下がるように屈曲される他のデザインを示す。典型的な共同住宅では、ドアに対面したときにドアノブは左側または右側にあることが多く、そのため、それぞれ、ドアの左側または右側が狭苦しくなっていることが多い。また、典型的なドアノブは円形タイプまたは直線状タイプであろう。したがって、このデザインでは、当該つまみ部１０７およびドアノブ・ロック組立体１０１が下方に垂直に吊り下がるので顕著に有益であり、ドアの左側または右側の狭苦しい空間について煩わされない。
【００４２】
図２１ａ〜図２１ｄは、つまみ部の端部がＡ形状として示されるつまみ部のデザイン示す。いくつかのドアノブのケースおよびタイプにおいて、これはドアノブの首部の周りにケーブル／ロープ／チェーン１０８ａおよび１０８ｂの閉じた、締まったループを形成できる。
【００４３】
図２２ａ〜図２２ｅは、つまみ部の端部がＶ形状として示されるつまみ部のデザイン示す。いくつかのドアノブのケースおよびタイプにおいて、これはドアノブの首部の周りにケーブル／ロープ／チェーン１０８ａおよび１０８ｂの閉じた、締まったループを形成できる。図２２ｆおよび図２２ｊは、多に強固でタンパープルーフなだけでなく、顕著に詰まったループをドアノブの首部の周りに形成するチェーンの使用を図を用いて示し、その用途を説明する。これらの図において、チェーンの部品番号は１５４で示され、絵表示の中で強調表示されるけれども、すべての実際的な目的において、他の図のいずれかで図説され説明される部分１０８ａおよび１０８ｂの役割を実現する。さらに、オプションのチェーンハンドル１５５が示され、これは、そのような機構が、ドアノブの周りにつまみ部組立体を取り付けまたは取り外すときにチェーンまたはケーブルを引くのを容易にするために実装して良いことを説明するためである。図に示される例において、Ａ形状のつまみ部の端部が用いられるけれども、多くの他のつまみ部のデザインを潜在的に典型的な用途に採用できる。
【００４４】
図２３は、図２ａ〜図４に類似している。図２３の詳細部Ａに示すように、ケーブル／ロープ／チェーン１０２は２つの部分に分割されて、取り外し可能なロックおよびキー機構がその中央にある。このケーブル取り外し構造は、特小、小、中くらい、大、および特大のような種々の寸法の小荷物袋１０３を同一のドアノブ・ロック組立体１０１用に個々のユーザが交換するのを支援できるように、設けられている。
【００４５】
図２４ａおよび図２４ｂはケーブル取り外し部およびロックおよびキー機構の拡大図を示す。
【００４６】
図２５ａおよび図２５ｂは、ケーブル／ロープ／チェーン１０８ａおよび１０８ｂがタンパーレジストの凸状円形ビーズ内に覆われているオプションの実施例を示す。これによって、ケーブル／ロープ／チェーン１０８ａおよび１０８ｂは細く、かつ柔軟にでき、他方、同時に、金属または、タンパーレジストを付与するために顕著に強度を向上させる他の適切な強固な材料のような、より強固で凸状の材料の内側に、ケーブル／ロープ／チェーン１０８ａおよび１０８ｂを囲むことができる。ただし、凸形状の円形ビーズが示されるけれども、任意の種類のデザインまたは形状または幾何構成を採用してここで示す目的を実現できる。
【００４７】
図２６ａおよび図２６ｂは、図２５ａおよび図２５ｂに著しく類似する。ただし、これらは、ケーブル／ロープ／チェーン１０８ａおよび１０８ｂの周りに凹形状のビーズを具備する。これによって、ケーブル／ロープ／チェーン１０８ａおよび１０８ｂは細く、かつ柔軟にでき、他方、同時に、金属または、タンパーレジストを付与するために顕著に強度を向上させる他の適切な強固な材料のような、より強固で凹状の材料の内側に、ケーブル／ロープ／チェーン１０８ａおよび１０８ｂを囲むことができる。ただし、凹形状の円形ビーズが示されるけれども、任意の種類のデザインまたは形状または幾何構成を採用してここで示す目的を実現できる。
【００４８】
図２７ａ〜図２７ｄは、ドアノブ・ロック組立体１０１の新たな実施例を示し、この実施例では、ドアノブ・ロック組立体１０１が、玄関ドアの外側に面するドアノブから垂直に可能に吊り下げられている。このデザインの利点は、ドアノブの左側または右側のスペースが限定されて狭苦しいいくつかの場合や状況において広範であろう。ドアノブ・ロック組立体１０１をドアノブの側部からドアノブの下方に移動させることによって、狭苦しい空間上の制約が、たとえ、除去されるのではなくても、顕著に少なくなる。オプションの搖動防止部１５３もこの実施例において示され、その目的は、曲がったつまみ部およびドアの間に形成される隙間をふさいで、ドアノブ・ロック組立体１０１が搖動するのを阻止するようになっている。搖動防止部１５３はそのような種類の実装ブラケットでななく、完全にオプションであることに留意することは重要である。
【００４９】
図２８ａ〜図２８ｉは、ドアオブ・ロック組立体１０１の多く、およびその基本的な要素および部品の種々の内部詳細および拡大図を示し、また説明する。部品および要素ならびにそれぞれの機能は他の実施例においてすでに先行して説明した。
【００５０】
図２９ａ〜図２９ｃは、多数の配送物を多数の配送業者から受け取る多容器の実施例が、どのようにして、当該装置およびシステムと一緒に実現できるかを示し、また説明する。基本的には、複数配送の必要性が満たされるまで、図２４ａおよび図２４ｂにおいて説明されたケーブル取り外しシステムを繰り返し用いて１つの小荷物袋を他の小荷物袋に結合して良い。このデザインは種々のサイズの小荷物袋に関して使用されて良い。すべての小荷物袋は透明なメッセージポーチを具備して、これがメール配送業者に具合的な配送指示を連絡するのに使用できる。透明なメッセージポーチを任意の小荷物袋状に含ませることは別個の特徴であり、配送が単一の容器または複数の容器であるかに拘わらず、すべての小荷物袋において利用できる。
【００５１】
主たる実施例の典型的な利用の例を以下に説明してこの装置の用途を理解するのを支援する。このシナリオは、典型的な用途および動作の全般的な理解をもたらすためのものである。種々の実施例の現実社会の用途は極めて広範であり、この段落で説明される用途に限定されないことに留意されたい。
【００５２】
小荷物または配送物を安全に受け取り、また、玄関ドアの前で窃盗により小荷物を失う危険性を減少させるという目的を実現すために当該種々の実施例を実装するにあたり、潜在的に起こる３つお具体的な事象がある。それらは以下のものである。
１．  事象１：小荷物受取人または所有者が小荷物の受領を可能にするために共同住宅または滞在場所の前に小荷物袋を設置することに関連する小荷物受取人または所有者の行為。
２．  事象２：メール配送業者が、配送時に、小荷物を小荷物袋の中に配送し、配置し、かつ保全する行為。
３．  事象３：小荷物受取人または所有者が、住居、仕事場、または滞在場所に戻ったときにパッケージを受け取る行為。
【００５３】
［事象１：小荷物を受け取り可能にするための小荷物袋の設置］
円形（図１ａ）または直線状（図１ｂ）のドアノブについては、ドアノブ・ロック組立体（例えば図５ａ）を取り出して、ケーブル／ロープ／チェーン（１０８ｂ）を伸ばして、まあは、緩めて、これがドアノブの周りを囲み、または輪をなすようになし、かつケーブル／ロープ／チェーン（１０８ａおよび１０８ｂ）が安全にドアノブの周りに締め付けられ、そこから取り外しできないようにする。ロック（１２０）は、安全にその位置で係合し、ロープ（１２３、１０８ｂおよび１０８ａ）がドアノブから緩むことがないようにする。物理的または技術的な解決手段（ＲＦＩＤ、Ｂｌｕｅｔｏｏｔｈ、モバイルソリューションまたはＷｉＦｉ）を利用してロック（１２０）の機能を実現でき、これらは当該明細書中で詳細に説明されている。小荷物袋のジッパーの位置（図１１ａ、１３９）は閉じられていない状態に維持され、小荷物袋は開状態とされなければならず、もって、配送担当者が小荷物を小荷物袋の内部に配置できるようになす。したがって、小荷物袋ロック（１０４）は、この時点で、未ロックの状態であるけれども、小荷物袋はケーブル／ロープ／チェーン（１０２）によってドアノブ・ロック組立体に安全に結合されている。
【００５４】
図２ａ、図２ｂ、および図２ｃは、動作の高水準な概略および円形状ドアノブに関連するドアノブ・ロック組立体を示す。図３は、動作の高水準な概略および直線状ドアノブに関連するドアノブ・ロック組立体を示す。ドアノブ・ロック組立体のいくつかの実施例があり、この文書内の多くの図面において詳細に説明されている。
【００５５】
図４は、小荷物袋をドアハンドル（図１ｃ）に安全に取り付けることに関連するシナリオの高水準な概略を与える。この動作は、円形または直線状ドアノブの動作と類似であるけれども、事実上若干異なる。図１２ａ、図１２ｂ、および図１２ｃは、ドアハンドルに適切な使用を説明する。円形の金属リング（図１２ａ、１１７）月のロープをドアハンドルの内部に移動させ、レバー（１１８）を内部に具備するロープの端部（１１５）を押して、これを安全に適所にロックする必要がある。ロック（図４、詳細部Ａ、１１４）自体は、図４に示すように、ドアハンドルのまわりに安全に固着でき、あるいは、Ｙ形状のケーブル（図４、１１３）の円形金属リング（１１７）がドアハンドルの内側、および、レバー（１１８）中へと滑り込むことができ、ロック（１１４）を安全に鍵かけすることができる。換言すると、ロック１１４の最初のオプションでは、ロック１１４は図４の詳細部Ａに示すようになる。第２のオプションでは、円形のリング１１７がドアハンドル１１２を通り抜け、ロック１１４は暗にリング１１７を覆うだけであり、図示のようにレバー１１８の内部においてハンドル１１２を覆うということがない。ロック（１１４）上のリベット（１１５）によって、確実にロックが常時に小荷物袋に安全に結合されるよういなっている。小荷物袋は図示のとおり（図１２ａおよび図１２ｂ）開状態に維持されなければならず、ジッパー（１３９）を開位置にして未ロック状態に維持しなければならない。
【００５６】
［事象２：小荷物または配送物の受領］
配送担当者が玄関ドアに到着したとき、配送担当者は小荷物を小荷物袋（１０３）の内部に置き、ジッパー１３９を図１１ａの一から図１１ｂに示すロック位置まで移動させる。ジッパー１３９は、ロック（１０４）に鍵固定され、ジッパーが、ロック（１０４）のキーを保持し、またはロックの数字組み合わせを知らなければ、ジッパーが再度開状態にならないようになっている。ロックは図１１ａおよび図１１ｂに示すように数字組み合わせタイプ、または任意の他のタイプであって良い。一旦、鍵掛が行われると、メール配送担当者でさえこれを開にして小荷物に触れることができない。
【００５７】
［事象３：小荷物または荷物の受領］
住居、仕事場、または滞在場所に戻ると、小荷物受領者は、キーを用いてドアノブ・ロック機構（１０６または１２０）を開き、もって、レバー（１２６）が、スライドブロック組立体（１１９）が移動できるような態様で回転させられ、ロープ（１０８ｂ）を緩めてドアノブ組立体の全体、および、ケーブル／ロープ／チェーンが、ドアノブから取り外し可能となるよういする。住居または滞在場所に入った後、利用者は、小荷物袋ロック（１０４）を解除でき、小荷物袋の内容物を取り出せる。図４に示すドアハンドルのシナリオでは、類似の手順が実行でき、ケーブル／ロープ／チェーン（１１３）がロック（１１４）およびドアハンドル（１１２）から取り外される。
【００５８】
［表１：部品番号およびその説明］
内容をより明瞭にするために、表１が以下のとおり索引のリストを提供して以上の説明をより良好に理解できるようにする。
【表１】
2017521103.tif 000003
【表２】
2017521103.tif 000004
【表３】
2017521103.tif 000005
【表４】
2017521103.tif 000006
【００５９】
先に検討した図面、説明、および詳細において、この発明のいくつかの典型的な実施例が開示された。具体的な用語および要素が説明で使用されているけれども、これらは説明のためのみに使用され、制限的な意図を有しない。ただし、詳細、要素において種々の修正および変更を行って非常に多くの実施例をこの発明の趣旨および範囲から逸脱することなしに実現できることは明らかである。この方法および装置はいくつかの実施例を具備することが可能な実用製品組立体であり、各実施例は荷物を保全状態で受け取るための以下の特徴の１または複数を伴う。この装置、方法、および機構の種々の実施例の基本的な利点は多くあり、先に示された具体的な例に限定されるべきではない。
【図１ａ】
2017521103.tif 000007
【図１ｂ】
2017521103.tif 000008
【図１ｃ】
2017521103.tif 000009
【図２ａ】
2017521103.tif 000010
【図２ｂ】
2017521103.tif 000011
【図２ｃ】
2017521103.tif 000012
【図３】
2017521103.tif 000013
【図４】
2017521103.tif 000014
【図５ａ】
2017521103.tif 000015
【図５ｂ】
2017521103.tif 000016
【図５ｃ】
2017521103.tif 000017
【図５ｄ】
2017521103.tif 000018
【図６ａ】
2017521103.tif 000019
【図６ｂ】
2017521103.tif 000020
【図６ｃ】
2017521103.tif 000021
【図６ｄ】
2017521103.tif 000022
【図６ｅ】
2017521103.tif 000023
【図７ａ】
2017521103.tif 000024
【図７ｂ】
2017521103.tif 000025
【図７ｃ】
2017521103.tif 000026
【図８ａ】
2017521103.tif 000027
【図８ｂ】
2017521103.tif 000028
【図８ｃ】
2017521103.tif 000029
【図９ａ】
2017521103.tif 000030
【図９ｂ】
2017521103.tif 000031
【図９ｃ】
2017521103.tif 000032
【図９ｄ】
2017521103.tif 000033
【図９ｅ】
2017521103.tif 000034
【図１０ａ】
2017521103.tif 000035
【図１０ｂ】
2017521103.tif 000036
【図１０ｃ】
2017521103.tif 000037
【図１０ｄ】
2017521103.tif 000038
【図１０ｅ】
2017521103.tif 000039
【図１０ｆ】
2017521103.tif 000040
【図１０ｇ】
2017521103.tif 000041
【図１１ａ】
2017521103.tif 000042
【図１１ｂ】
2017521103.tif 000043
【図１２ａ】
2017521103.tif 000044
【図１２ｂ】
2017521103.tif 000045
【図１２ｃ】
2017521103.tif 000046
【図１３】
2017521103.tif 000047
【図１４】
2017521103.tif 000048
【図１５ａ】
2017521103.tif 000049
【図１５ｂ】
2017521103.tif 000050
【図１５ｃ】
2017521103.tif 000051
【図１５ｄ】
2017521103.tif 000052
【図１５ｅ】
2017521103.tif 000053
【図１６】
2017521103.tif 000054
【図１７】
2017521103.tif 000055
【図１８ａ】
2017521103.tif 000056
【図１８ｂ】
2017521103.tif 000057
【図１９ａ】
2017521103.tif 000058
【図１９ｂ】
2017521103.tif 000059
【図２０】
2017521103.tif 000060
【図２１ａ】
2017521103.tif 000061
【図２１ｂ】
2017521103.tif 000062
【図２１ｃ】
2017521103.tif 000063
【図２１ｄ】
2017521103.tif 000064
【図２２ａ】
2017521103.tif 000065
【図２２ｂ】
2017521103.tif 000066
【図２２ｃ】
2017521103.tif 000067
【図２２ｄ】
2017521103.tif 000068
【図２２ｅ】
2017521103.tif 000069
【図２２ｆ】
2017521103.tif 000070
【図２２ｇ】
2017521103.tif 000071
【図２２ｈ】
2017521103.tif 000072
【図２２ｉ】
2017521103.tif 000073
【図２２ｊ】
2017521103.tif 000074
【図２３】
2017521103.tif 000075
【図２４ａ】
2017521103.tif 000076
【図２４ｂ】
2017521103.tif 000077
【図２５ａ】
2017521103.tif 000078
【図２５ｂ】
2017521103.tif 000079
【図２６ａ】
2017521103.tif 000080
【図２６ｂ】
2017521103.tif 000081
【図２７ａ】
2017521103.tif 000082
【図２７ｂ】
2017521103.tif 000083
【図２７ｃ】
2017521103.tif 000084
【図２７ｄ】
2017521103.tif 000085
【図２８ａ】
2017521103.tif 000086
【図２８ｂ】
2017521103.tif 000087
【図２８ｃ】
2017521103.tif 000088
【図２８ｄ】
2017521103.tif 000089
【図２８ｅ】
2017521103.tif 000090
【図２８ｆ】
2017521103.tif 000091
【図２８ｇ】
2017521103.tif 000092
【図２８ｈ】
2017521103.tif 000093
【図２８ｉ】
2017521103.tif 000094
【図２９ａ】
2017521103.tif 000095
【図２９ｂ】
2017521103.tif 000096
【図２９ｃ】
2017521103.tif 000097
【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
住居または任意の滞在場所で小荷物を安全に受け取り、または交換するためのシステムであって、
第１のタンパープルーフケーブルを具備する連結具であって、上記第１のタンパープルーフケーブルが当該連結具に結合され上記連結具を現存のドアノブまたはドアハンドルに取り付けるように構成され、当該連結具がタンパープルーフハウジング内に包囲される、上記連結具と、
上記タンパープルーフハウジング内に位置決めされるドアハンドルロック機構であって、上記連結具が上記ドアノブまたはドアハンドルに取り付けられて当該連結具が上記ドアノブまたはドアハンドルから取り外されるのを阻止するように構成される、上記ドアハンドルロック機構と、
上記ドアハンドルロック機構と一体化されるドアハンドルロック解除機構であって、上記連結具を上記ドアノブまたはドアハンドルから解放して上記連結具を上記ドアノブまたはドアハンドルから取り外し可能に構成される、上記ドアハンドルロック解除機構と、
上記タンパープルーフハウジングに連結される第２のタンパープルーフケーブルと、
上記第２のタンパープルーフケーブルと連結される小荷物袋と、
上記小荷物袋に取り付けられる小荷物ロック機構であって、上記小荷物袋が開とされるのを阻止してロックするように構成される、上記小荷物ロック機構と、
上記小荷物ロック機構を一体化される小荷物ロック解除機構であって、上記小荷物ロック機構をロック解除して上記小荷物袋を開とすることができるように構成される、上記小荷物ロック解除機構とを有することを特徴とする、上記システム。
【請求項２】
上記システムは可搬性であり、取り付け、取り外しが可能であり、動作のためにいずれのフレームまたは実装ブラケット組立体も必要としない請求項１記載の上記システム。
【請求項３】
上記小荷物袋の内容物を取り出すための、許可されていないどのような破壊および力任せの侵入または動作も阻止するために音響を生じる可聴侵入警報器をさらに含み、上記可聴侵入警報器は上記タンパープルーフハウジングおよび上記小荷物袋に一体化される請求項１記載の上記システム。
【請求項４】
上記小荷物ロック解除機構は、許可された個人および開操作を識別するための電子システムを含む請求項１記載の上記システム。
【請求項５】
上記電子システムは許可された個人および開操作を識別するためのＲＦＩＤを含む請求項４記載の上記システム。
【請求項６】
上記小荷物ロック解除機構はワイヤレス受信部を含む請求項４記載の上記システム。
【請求項７】
小荷物を安全に受領するための方法であって、
ドアハンドルまたはドアノブに安全に連結されるように構成されるドアノブ・ロック組立体を準備するステップと、
タンパープルーフ小荷物袋を準備するステップと、
上記タンパープルーフ小荷物袋を上記ドアノブ・ロック組立体に連結するのに使用されるケーブル機構を準備するステップと、
上記タンパープルーフ小荷物袋に取り付けられるロック機構であって、封止された小荷物袋の未許可の個人による開操作を阻止するように構成された、上記ロック機構を準備するステップとを有することを特徴とする、上記方法。
【請求項８】
上記ドアノブ・ロック組立体は上記ドアノブまたは上記ドアハンドルに連結可能であり、許可された個人のみによって上記ドアノブまたは上記ドアハンドルから連結解除できる請求項７記載の上記方法。
【請求項９】
ドアハンドルケーブルが、上記ドアハンドルまたは上記ドアノブの周りに掛け、または上記ドアハンドルまたは上記ドアノブに連結し、上記ドアハンドルまたは上記ドアノブとの関係で当該ドアハンドルケーブルの動きを最小化し、もって、上記ドアノブ・ロック組立体が上記ドアハンドルまたは上記ドアノブから取り外されるのを阻止する態様で、上記ドアノブ・ロック組立体と一体化され、かつ配向される請求項８記載の上記方法。
【請求項１０】
上記ドアノブ・ロック組立体と一体化される、つまみ部が、上記ドアハンドルケーブルがタンパー操作にさらされるのを減少させる請求項９記載の上記方法。
【請求項１１】
安全に配送物を受け取る装置において、
第１の取り付け用ケーブルであって、第１の端部において、ドアノブまたはドアハンドルの周りに当該ドアノブまたはドアハンドルから取り外しできないようにフィットするように配向される、上記第１の取り付け用ケーブルを有し、
上記第１の取り付け用ケーブルは第２の端部においてドアノブ保全筐体に結合され防護され、上記ドアノブ保全筐体は、当該ドアノブ保全筐体と一体化されるドアノブ保全ロックを含み、
上記ドアノブ保全筐体は第２の取り付け用ケーブルを介して保全配送容器に連結され、
さらに上記安全に配送物を受け取る装置は、
上記保全配送容器に取り付けられた保全装置を有し、当該保全装置は、上記保全配送容器への、未許可のアクセスを阻止するように構成されていることを特徴とする上記装置。
【請求項１２】
上記第２の取り付け用ケーブルは２つの部品を有し、ロックの補完部品が上記２つの部品に固着される請求項１１記載の安全に配送物を受け取る装置。
【請求項１３】
上記補完部品はＲＦＩＤを含む請求項１２記載の安全に配送物を受け取る装置。
【請求項１４】
上記保全配送容器は頑丈な材料から製造されたタンパープルーフ袋である請求項１１記載の安全に配送物を受け取る装置。
【請求項１５】
上記ドアノブ保全ロックは、ロックギアと、上記ドアノブ保全用筐体を上記ドアノブまたはドアハンドルから解放する解放機構とを含む請求項１１記載の安全に配送物を受け取る装置。
【請求項１６】
上記ドアノブ保全ロックは、上記解放機構を作動させるように構成されたＲＦＩＤを含む請求項１５記載の安全に配送物を受け取る装置。
【請求項１７】
上記ドアノブ保全ロックは、上記解放機構を作動させるように構成されたロック・キー組合せ部を含む請求項１５記載の安全に配送物を受け取る装置。
【請求項１８】
上記ドアノブ保全筐体はドアノブまたはドアハンドル用の破壊防護部を含む請求項１５記載の安全に配送物を受け取る装置。
【請求項１９】
さらに、上記ドアノブ保全筐体の内部に一体化されたスピーカおよび警報部を有し、上記スピーカは上記警報部に動作可能に連結される請求項１５記載の安全に配送物を受け取る装置。
【請求項２０】
上記警報部は上記起動時に受け取り装置に通知する請求項１９記載の安全に配送物を受け取る装置。
【請求項２１】
上記保全装置は、上記保全配送容器内に配送物が置かれることによって、自動的にロックされる請求項１１記載の安全に配送物を受け取る装置。
【請求項２２】
上記保全配送容器に取り付けられるメッセージポーチをさらに有する請求項１１記載の安全に配送物を受け取る装置。
【請求項２３】
配送物を保全する装置であって、
少なくとも１個の容器ポートを含む配送物容器であって、上記容器ポートのための個別の保全カバーを含む、上記配送物容器を有し、
上記個別の保全カバーは、物品が上記容器ポートに配置されると当該個別の保全カバーを上記容器カバーの上においてロックするように構成されるロック機構を含み、
上記個別の保全カバーは、上記個別の保全カバーと一体化されたロック解除機構によってロック解除されるように構成され、
上記配送物容器はドアノブ保全装置に第１の保全ケーブルを介して連結され、
上記ドア保全装置は、上記ドアノブ保全装置に結合された後退可能な第２の保全ケーブルを含み、上記第２の保全ケーブルは上記ドアノブ保全装置をドアノブまたはドアハンドルに取り外し可能に取り付けることを特徴とする上記装置。
【請求項２４】
上記ロック解除機構はワイヤレスで上記個別の安全カバーをロック解除するように構成される請求項２２記載の配送物を保全する装置。
【請求項２５】
上記配送物容器に取り付けられるメッセージポーチをさらに有する請求項２３記載の配送物を保全する装置。
【国際調査報告】
2017521103.tif 000098